(57)【要約】  【課題】ＬＥＤを駆動して発光させた場合、ＭＯＳトランジスタに発生するパワーを下げて定電流駆動回路の消費するパワーを低減させ、温度の上昇を抑制してＬＥＤバックライトの駆動回路全体の変換率を高め、かつ定電流駆動回路を構成する部材が熱で容易に損壊しにくい液晶表示装置、ＬＥＤバックライト光源及びその駆動方法を提供する。  【解決手段】  ＬＥＤバックライト光源は、直流電圧を入力する直流電流入力端と、増幅回路と、該増幅回路が出力する増幅された該直流電圧が入力するＬＥＤストリップであって、かつ正常な発光を達成する直流電圧が該増幅回路の出力する増幅された直流電圧に比して小さいＬＥＤストリップと、該第１抵抗の両端の電圧を調整することによって該ＬＥＤストリップの電流を制御する定電流駆動回路と、を含んでなり、その駆動方法は、直流電圧入力端から直流電圧を入力するａのステップと、増幅回路によって該直流電圧入力端から入力した該直流電圧を増幅し、かつ増幅した直流電圧を出力するｂのステップと、ＬＥＤストリップによって増幅回路から増幅した直流電圧を受けるｃのステップと、定電流駆動回路によって第１抵抗の両端の電圧を調整して該ＬＥＤストリップの電流を制御するｄのステップと、を含んでなる。
2016516263.tif 000002
【特許請求の範囲】
【請求項１】
直流電圧入力端から直流電圧を入力するａのステップと、
増幅回路によって該直流電圧入力端から入力した該直流電圧を増幅し、かつ増幅した直流電圧を出力するｂのステップと、
ＬＥＤストリップによって増幅回路から増幅した直流電圧を受けるｃのステップと、
定電流駆動回路によって第１抵抗の両端の電圧を調整して該ＬＥＤストリップの電流を制御するｄのステップと、を含んでなることを特徴とするＬＥＤバックライト光源の駆動方法。
【請求項２】
前記ｄのステップにおいて、該定電流駆動回路に入力した基準電圧を減少させることによって該第１抵抗の両端の電圧を減少させ、該ＬＥＤストリップの電流を減少させることを特徴とする請求項１に記載のＬＥＤバックライト光源の駆動方法。
【請求項３】
前記ｄのステップにおいて、該定電流駆動回路の第２抵抗の抵抗値と第３抵抗の抵抗値との比率を増大させて該第１抵抗の両端の電圧を減少させ、該ＬＥＤストリップの電流を減少させることを特徴とする請求項１に記載のＬＥＤバックライト光源の駆動方法。
【請求項４】
直流電圧を入力する直流電流入力端と、
該直流電流入力端に入力した直流電圧を増幅して、増幅された該直流電圧を出力する増幅回路と、
複数のＬＥＤと第１抵抗とを含んでなり、該増幅回路が出力する増幅ｓされた該直流電圧が入力するＬＥＤストリップであって、かつ正常な発光を達成する直流電圧が該増幅回路の出力する増幅された直流電圧に比して小さいＬＥＤストリップと、
該第１抵抗の両端の電圧を調整することによって該ＬＥＤストリップの電流を制御する定電流駆動回路と、を含んでなることを特徴とするＬＥＤバックライト光源。
【請求項５】
前記定電流駆動回路が第２抵抗、第３抵抗と、オペアンプと、第１金属酸化膜トランジスタとを含み、該第２抵抗の一端に基準電圧が入力し、かつ該第２抵抗の他端が該第３抵抗に接続し、該オペアンプは出力端が該第１金属酸化膜トランジスタのグリッドに接続するとともにマイナス端が該第１金属酸化膜トランジスタのソースのソース極に接続し、該第１金属酸化膜トランジスタのドレイン極が該ＬＥＤストリップのマイナス極に接続し、該第１金属酸化膜トランジスタのソース極が該第１抵抗に接続することを特徴とする請求項４に記載のＬＥＤバックライト光源。
【請求項６】
前記定電流駆動回路に基準電圧が入力すると、該第１抵抗の両端の電圧が減少して該ＬＥＤストリップの電流が減少することを特徴とする請求項５に記載のＬＥＤバックライト光源。
【請求項７】
前記定電流駆動回路の該第２抵抗の抵抗値と該第３抵抗値との比率が増大すると、該第１抵抗の両端の電圧が減少して該ＬＥＤストリップの電流が減少することを特徴とする請求項５に記載のＬＥＤバックライト光源。
【請求項８】
前記増幅回路がインダクタと、第２金属酸化膜半導体トランジスタと、整流ダイオードと、コンデンサとを含んでなり、
該インダクタは一端が該直流電圧入力端に接続し、他端が該整流ダイオードのプラス極に接続し、該第２金属酸化膜トランジスタのドレイン極が該インダクタと該整流ダイオードのプラス極との間に接続し、
該コンデンサの一端が該整流ダイオードのマイナス極に接続するとともに、該ＬＥＤストリップのプラス極に接続し、該コンデンサの他端が該第２金属酸化膜トランジスタのソース極に接続し、かつ該第２金属酸化膜トランジスタのグリッドが該定電圧駆動回路に接続することを特徴とする請求項４に記載のＬＥＤバックライト光源。
【請求項９】
前記直流電圧が液晶表示装置の外部から入力する交流電圧を変換してなることを特徴とする請求項４に記載のＬＥＤバックライト光源。
【請求項１０】
液晶表示パネルとＬＥＤバックライト光源とを含んでなり、該液晶表示パネルと該ＬＥＤバックライトモジュールとが対応して設けられ、該ＬＥＤバックライト光源によって該液晶表示パネルに光線を提供し、
該ＬＥＤバックライト光源が直流電圧を入力する直流電流入力端と、該直流電流入力端に入力した直流電圧を増幅して、増幅された該直流電圧を出力する増幅回路と、複数のＬＥＤと第１抵抗とを含むとともに該増幅回路が出力する増幅さされた該直流電圧が入力するＬＥＤストリップであって、かつ正常な発光を達成する直流電圧が該増幅回路の出力する増幅された直流電圧に比して小さいＬＥＤストリップと、及び該第１抵抗の両端の電圧を調整することによって該ＬＥＤストリップの電流を制御する定電流駆動回路と、を含んでなることを特徴とする液晶表示装置。
【請求項１１】
前記定電流駆動回路が第２抵抗、第３抵抗と、オペアンプと、第１金属酸化膜トランジスタとを含み、該第２抵抗の一端に基準電圧が入力し、かつ該第２抵抗の他端が該第３抵抗に接続し、該オペアンプは出力端が該第１金属酸化膜トランジスタのグリッドに接続するとともにマイナス端が該第１金属酸化膜トランジスタのソースのソース極に接続し、該第１金属酸化膜トランジスタのドレイン極が該ＬＥＤストリップのマイナス極に接続し、該第１金属酸化膜トランジスタのソース極が該第１抵抗に接続することを特徴とする請求項１０に記載の液晶表示装置。
【請求項１２】
前記定電流駆動回路に基準電圧が入力すると、該第１抵抗の両端の電圧が減少して該ＬＥＤストリップの電流が減少することを特徴とする請求項１１に記載の液晶表示装置。
【請求項１３】
前記定電流駆動回路の該第２抵抗の抵抗値と該第３抵抗値との比率が増大すると、該第１抵抗の両端の電圧が減少して該ＬＥＤストリップの電流が減少することを特徴とする請求項１１に記載の液晶表示装置。
【請求項１４】
前記増幅回路がインダクタと、第２金属酸化膜半導体トランジスタと、整流ダイオードと、コンデンサとを含んでなり、
該インダクタは一端が該直流電圧入力端に接続し、他端が該整流ダイオードのプラス極に接続し、該第２金属酸化膜トランジスタのドレイン極が該インダクタと該整流ダイオードのプラス極との間に接続し、
該コンデンサの一端が該整流ダイオードのマイナス極に接続するとともに、該ＬＥＤストリップのプラス極に接続し、該コンデンサの他端が該第２金属酸化膜トランジスタのソース極に接続し、かつ該第２金属酸化膜トランジスタのグリッドが該定電圧駆動回路に接続することを特徴とする請求項１０に記載の液晶表示装置。
【請求項１５】
前記直流電圧が液晶表示装置の外部から入力する交流電圧を変換してなることを特徴とする請求項１０に記載の液晶表示装置。
【発明の詳細な説明】
【技術分野】
【０００１】
この発明は、液晶表示装置に関し、特に液晶表示装置と、そのバックライトモジュールであるＬＥＤバックライト光源と、及びその駆動方法に関する。
【背景技術】
【０００２】
科学技術の絶え間ない進歩にともない、液晶表示装置のバックライト技術も弛まぬ発展を遂げてきた。従来の液晶表示装置のバックライトは冷陰極管（ＣＣＦＬ）を採用している。但し、冷陰極管を用いたバックライト光源は、色再現性が弱く、発光効率が低く、放電電圧が高く、低温放電特性が弱い、加熱からグレースケール安定に至るまでの時間が長いなどの短所を有する。このため、目下ＬＥＤをバックライト光源とする技術が開発されている。
【０００３】
現有するＬＥＤバックライト光源の駆動回路は、定電流駆動回路のＭＯＳトランジスタに一定の抵抗値が存在する。このためＬＥＤを駆動して発光させた場合、ＭＯＳトランジスタにパワーの消費が発生し、定電流駆動回路の消費するパワーが増大する。よって温度が上昇し、ＬＥＤバックライト光源の駆動回路全体の変換率が低下する、しかもＬＥＤの電流が大きくなるほどＭＯＳトランジスタの消費するパワーも大きくなり、定電流駆動回路の消費するパワーも大きくなる。これに連れて温度もますます上昇し、定電流駆動回路を構成する部材が高温で容易に損壊する。
【発明の概要】
【発明が解決しようとする課題】
【０００４】
この発明は、ＬＥＤを駆動して発光させた場合、ＭＯＳトランジスタに発生するパワーを下げて定電流駆動回路の消費するパワーを低減させ、温度の上昇を抑制してＬＥＤバックライトの駆動回路全体の変換率を高め、かつ定電流駆動回路を構成する部材が熱で容易に損壊しにくい液晶表示装置、ＬＥＤバックライト光源及びその駆動方法を提供することを改題とする。
【課題を解決するための手段】
【０００５】
そこで、本発明者は従来のＬＥＤバックライト光源に見られる欠点に鑑み鋭意研究を重ねた結果、直流電圧を入力する直流電流入力端と、増幅回路と、該増幅回路が出力する増幅された該直流電圧が入力するＬＥＤストリップであって、かつ正常な発光を達成する直流電圧が該増幅回路の出力する増幅された直流電圧に比して小さいＬＥＤストリップと、該第１抵抗の両端の電圧を調整することによって該ＬＥＤストリップの電流を制御する定電流駆動回路と、を含んでなるＬＥＤバックライト光源と、係るＬＥＤバックライト光源を具える液晶表示装置において、
直流電圧入力端から直流電圧を入力するａのステップと、
増幅回路によって該直流電圧入力端から入力した該直流電圧を増幅し、かつ増幅した直流電圧を出力するｂのステップと、
ＬＥＤストリップによって増幅回路から増幅した直流電圧を受けるｃのステップと、
定電流駆動回路によって第１抵抗の両端の電圧を調整して該ＬＥＤストリップの電流を制御するｄのステップと、を含んでなる駆動方法を用いることによって課題を解決できる点に着眼し、係る知見に基づき本発明を完成させた。
【０００６】
以下この発明について説明する。請求項１に記載のＬＥＤバックライト光源の駆動方法は、直流電圧入力端から直流電圧を入力するａのステップと、
増幅回路によって該直流電圧入力端から入力した該直流電圧を増幅し、かつ増幅した直流電圧を出力するｂのステップと、
ＬＥＤストリップによって増幅回路から増幅した直流電圧を受けるｃのステップと、
定電流駆動回路によって第１抵抗の両端の電圧を調整して該ＬＥＤストリップの電流を制御するｄのステップと、を含んでなる。
【０００７】
請求項２に記載するＬＥＤバックライト光源の駆動方法は、請求項１におけるｄのステップにおいて、該定電流駆動回路に入力した基準電圧を減少させることによって該第１抵抗の両端の電圧を減少させ、該ＬＥＤストリップの電流を減少させる。
【０００８】
請求項３に記載するＬＥＤバックライト光源の駆動方法は、請求項１におけるｄのステップにおいて、該定電流駆動回路の第２抵抗の抵抗値と第３抵抗の抵抗値との比率を増大させて該第１抵抗の両端の電圧を減少させ、該ＬＥＤストリップの電流を減少させる。
【０００９】
請求項４に記載するＬＥＤバックライト光源は、直流電圧を入力する直流電流入力端と、
該直流電流入力端に入力した直流電圧を増幅して、増幅された該直流電圧を出力する増幅回路と、
複数のＬＥＤと第１抵抗とを含んでなり、該増幅回路が出力する増幅ｓされた該直流電圧が入力するＬＥＤストリップであって、かつ正常な発光を達成する直流電圧が該増幅回路の出力する増幅された直流電圧に比して小さいＬＥＤストリップと、
該第１抵抗の両端の電圧を調整することによって該ＬＥＤストリップの電流を制御する定電流駆動回路と、を含んでなる。
【００１０】
請求項５に記載するＬＥＤバックライト光源は、請求項４における定電流駆動回路が第２抵抗、第３抵抗と、オペアンプと、第１金属酸化膜トランジスタとを含み、該第２抵抗の一端に基準電圧が入力し、かつ該第２抵抗の他端が該第３抵抗に接続し、該オペアンプは出力端が該第１金属酸化膜トランジスタのグリッドに接続するとともにマイナス端が該第１金属酸化膜トランジスタのソースのソース極に接続し、該第１金属酸化膜トランジスタのドレイン極が該ＬＥＤストリップのマイナス極に接続し、該第１金属酸化膜トランジスタのソース極が該第１抵抗に接続する。
【００１１】
請求項６に記載のＬＥＤバックライト光源は請求項５における定電流駆動回路に基準電圧が入力すると、該第１抵抗の両端の電圧が減少して該ＬＥＤストリップの電流が減少する。
【００１２】
請求項７に記載するＬＥＤバックライト光源は、請求項５における定電流駆動回路の該第２抵抗の抵抗値と該第３抵抗値との比率が増大すると、該第１抵抗の両端の電圧が減少して該ＬＥＤストリップの電流が減少する。
【００１３】
請求項８に記載のＬＥＤバックライト光源は、請求項４における増幅回路がインダクタと、第２金属酸化膜半導体トランジスタと、整流ダイオードと、コンデンサとを含んでなり、
該インダクタは一端が該直流電圧入力端に接続し、他端が該整流ダイオードのプラス極に接続し、該第２金属酸化膜トランジスタのドレイン極が該インダクタと該整流ダイオードのプラス極との間に接続し、
該コンデンサの一端が該整流ダイオードのマイナス極に接続するとともに、該ＬＥＤストリップのプラス極に接続し、該コンデンサの他端が該第２金属酸化膜トランジスタのソース極に接続し、かつ該第２金属酸化膜トランジスタのグリッドが該定電圧駆動回路に接続する。
【００１４】
請求項９に記載のＬＥＤバックライト光源は、請求項４における直流電圧が液晶表示装置の外部から入力する交流電圧を変換してなる。
【００１５】
請求項１０に記載する液晶表示装置は、液晶表示パネルとＬＥＤバックライト光源とを含んでなり、該液晶表示パネルと該ＬＥＤバックライトモジュールとが対応して設けられ、該ＬＥＤバックライト光源によって該液晶表示パネルに光線を提供し、
該ＬＥＤバックライト光源が直流電圧を入力する直流電流入力端と、該直流電流入力端に入力した直流電圧を増幅して、増幅された該直流電圧を出力する増幅回路と、複数のＬＥＤと第１抵抗とを含むとともに該増幅回路が出力する増幅さされた該直流電圧が入力するＬＥＤストリップであって、かつ正常な発光を達成する直流電圧が該増幅回路の出力する増幅された直流電圧に比して小さいＬＥＤストリップと、及び該第１抵抗の両端の電圧を調整することによって該ＬＥＤストリップの電流を制御する定電流駆動回路と、を含んでなる。
【００１６】
請求項１１に記載する液晶表示装置は、請求項１０における定電流駆動回路が第２抵抗、第３抵抗と、オペアンプと、第１金属酸化膜トランジスタとを含み、該第２抵抗の一端に基準電圧が入力し、かつ該第２抵抗の他端が該第３抵抗に接続し、該オペアンプは出力端が該第１金属酸化膜トランジスタのグリッドに接続するとともにマイナス端が該第１金属酸化膜トランジスタのソースのソース極に接続し、該第１金属酸化膜トランジスタのドレイン極が該ＬＥＤストリップのマイナス極に接続し、該第１金属酸化膜トランジスタのソース極が該第１抵抗に接続する。
【００１７】
請求項１２に記載する液晶表示装置は、請求項１１における定電流駆動回路に基準電圧が入力すると、該第１抵抗の両端の電圧が減少して該ＬＥＤストリップの電流が減少する。
【００１８】
請求項１３に記載する液晶表示装置は、請求項１１における定電流駆動回路の該第２抵抗の抵抗値と該第３抵抗値との比率が増大すると、該第１抵抗の両端の電圧が減少して該ＬＥＤストリップの電流が減少する。
【００１９】
請求項１４に記載する液晶表示装置は、請求項１０における増幅回路がインダクタと、第２金属酸化膜半導体トランジスタと、整流ダイオードと、コンデンサとを含んでなり、
該インダクタは一端が該直流電圧入力端に接続し、他端が該整流ダイオードのプラス極に接続し、該第２金属酸化膜トランジスタのドレイン極が該インダクタと該整流ダイオードのプラス極との間に接続し、
該コンデンサの一端が該整流ダイオードのマイナス極に接続するとともに、該ＬＥＤストリップのプラス極に接続し、該コンデンサの他端が該第２金属酸化膜トランジスタのソース極に接続し、かつ該第２金属酸化膜トランジスタのグリッドが該定電圧駆動回路に接続する。
【００２０】
請求項１５に記載する液晶表示装置は、請求項１０における直流電圧が液晶表示装置の外部から入力する交流電圧を変換してなる。
【図面の簡単な説明】
【００２１】
【図１】この発明による液晶表示装置のＬＥＤバックライト光源の回路図である。
【図２】この発明によるＬＥＤバックライト光源を具える液晶表示装置を示した説明図である。
【図３】この発明によるＬＥＤバックライト光源の駆動方法を示したフローチャートである。
【発明を実施するための形態】
【００２２】
この発明は、ＬＥＤを駆動して発光させた場合、ＭＯＳトランジスタに発生するパワーを下げて定電流駆動回路の消費するパワーを低減させ、温度の上昇を抑制してＬＥＤバックライトの駆動回路全体の変換率を高め、かつ定電流駆動回路を構成する部材が熱で容易に損壊しにくい液晶表示装置、ＬＥＤバックライト光源及びその駆動方法を提供するものであって、
該ＬＥＤバックライト光源は、直流電圧を入力する直流電流入力端と、増幅回路と、該増幅回路が出力する増幅された該直流電圧が入力するＬＥＤストリップであって、かつ正常な発光を達成する直流電圧が該増幅回路の出力する増幅された直流電圧に比して小さいＬＥＤストリップと、該第１抵抗の両端の電圧を調整することによって該ＬＥＤストリップの電流を制御する定電流駆動回路と、を含んでなり、液晶表示装置は係るＬＥＤバックライト光源を具え、その駆動方法は、直流電圧入力端から直流電圧を入力するａのステップと、増幅回路によって該直流電圧入力端から入力した該直流電圧を増幅し、かつ増幅した直流電圧を出力するｂのステップと、ＬＥＤストリップによって増幅回路から増幅した直流電圧を受けるｃのステップと、定電流駆動回路によって第１抵抗の両端の電圧を調整して該ＬＥＤストリップの電流を制御するｄのステップと、を含んでなる。また、液晶表示装置は前記ＬＥＤバックライト光源を具えてなる。係る液晶表示装置、ＬＥＤバックライト光源及びその駆動方法について、その特徴を詳述するために、具体的な実施例を挙げ、図面を参考にして以下に説明する。但し、同時に提出する図面においては、従来の手段の構造、作用などに関する不必要かつ詳細な説明を加えることによって、この発明の思考、精神と混濁することを避けるために、これらは割愛した。
【実施例】
【００２３】
図１に、この発明による液晶表示装置のＬＥＤバックライト光源の好ましい実施の形態を開示する。図面の開示によれば、該ＬＥＤバックライト光源は、直流電圧入力端１１と、増幅回路１２と、ＬＥＤストリップ１３と、定電流駆動回路１４とを含んでなる。
【００２４】
直流電圧入力端１１は、直流電圧（例えば２４Ｖ）を入力するためのものであって、かつ入力する該直流電圧は交流の商用電源（例えば１１０Ｖ、もしくは２２０Ｖ）を変換したものである。例えば、既存の交流／直流コンバータなどを利用して交流の商用電源を直流電圧に変換する。
【００２５】
増幅回路１２は、直流電圧入力端１１から入力した直流電圧を増幅して出力する。
【００２６】
ＬＥＤストリップ１３は液晶表示装置の液晶表示パネルの背面に配置してバックライト光源とする。ＬＥＤストリップ１３は直列した複数のＬＥＤと第１抵抗Ｒ１とを含む。ＬＥＤストリップ１３のＬＥＤの個数Ｎ（ＮはＯより大きい整数である）は、次の式１によって確定する。
【００２７】
【数１】
2016516263.tif 000003
【００２８】
前記式１におけるＶｄは、それぞれのＬＥＤの発光電圧であって、Ｖｓは増幅回路１２の出力する増幅された直流電圧であり、例えばＶｄが５.５Ｖであって、Ｖｓが６０Ｖであれば、Ｎ≦１０となる。
【００２９】
定電流駆動回路１４は、第１抵抗Ｒ１の両端の電圧のＬＥＤストリップ１３の電流に対して調整を行うために用いる。具体的な制御方法は、後述するとおりである。
【００３０】
同時に、定電圧駆動回路１４はレベル信号を増幅回路１２に出力する。該レベル信号は、即ち増幅回路１２を駆動するためにＬＥＤ提供する増幅された直流電圧の駆動信号である。
【００３１】
実施例におけるＬＥＤバックライト光源の増幅回路１２は、インダクタＬと、第２金属酸化膜半導体（ＭＯＳ）トランジスタＱ２と、整流ダイオードＤと、コンデンサＣとを含んでなる。
【００３２】
インダクタＬは一端が直流電圧入力端１１に接続し、他端が整流ダイオードＤのプラス極に接続し、第２金属酸化膜トランジスタＱ２のドレイン極はインダクタＬと整流ダイオードＤのプラス極との間に接続する。
【００３３】
コンデンサＣは、一端が整流ダイオードＤのマイナス極に接続するとともに、ＬＥＤストリップ１３のプラス極に接続し、他端が第２金属酸化膜トランジスタＱ２のソース極に接続し、かつグリッドが定電圧駆動回路１４に接続する。
【００３４】
定電圧駆動回路１４の出力するレベル信号は、第２金属酸化膜トランジスタＱ２を制御、駆動するゲート極を通過して増幅回路１２を駆動するためにＬＥＤ提供する増幅された直流電圧の駆動信号である。
【００３５】
実施例における定電流駆動回路１４は、第２抵抗Ｒ２と、第３抵抗Ｒ３と、オペアンプＵ１１と第１金属酸化膜トランジスタＱ１とを含んでなる。
【００３６】
第２抵抗Ｒ２は、一端が基準電圧Ｖｒｅｆを受信するために用いられ、他端が第３抵抗Ｒ３に接続する。
【００３７】
オペアンプＵ１１は、プラス極が第２抵抗Ｒ２と第３抵抗Ｒ３との間に接続し、出力端が第１金属酸化膜トランジスタＱ１のグリッドに接続するとともに、マイナス極が第１金属酸化膜トランジスタＱ１のソース極に接続する。第１金属酸化膜トランジスタＱ１は、ドレイン極がＬＥＤストリップ１３のマイナス極に接続し、ソース極が第１抵抗Ｒ１に接続する。
【００３８】
この発明を実際に応用する場合、定電流駆動回路１４は半導体製造技術によってなるＩＣチップを用いる。該ＩＣチップは複数のピンを具え、その内、第２金属酸化膜トランジスタＱ２のグリッドに接続するピンを含む。
【００３９】
定電圧駆動回路１４に通電すると、基準電圧Ｖｒｅｆ（例えば５Ｖ）が第３抵抗Ｒ３を経て分圧され、入力電圧Ｖａが得られる。Ｖａは、式２によって得られる。
【００４０】
【数２】
2016516263.tif 000004
【００４１】
得られたＶａはオペアンプＵ１１のプラス端に入力する。オペアンプＵ１１のマイナス端は第１金属酸化膜半導体トランジスタＱ１のソース極に接続する。よって、オペアンプＵ１のプラス端とマイナス端の電圧が同等になる。したがって、第１抵抗Ｒ１の両端の電圧がＶａとなり、ＬＥＤストリップ１３の電流はILED=Va/R1となる。
【００４２】
第１金属酸化膜半導体Ｑ１には一定の抵抗が存在し、第１金属酸化膜半導体Ｑ１のドレイン極には電圧Ｖｍが存在する。Ｖｍは次の式３を満足させるものである。
【００４３】
【数３】
2016516263.tif 000005
【００４４】
前記式３におけるRQ1は第１金属酸化膜半導体トランジスタＱ１の抵抗であって、第１金属酸化膜半導体トランジスタＱ１が消費するパワーがPQ1である。PQ1は、次の式４を満足させるものである。
【００４５】
【数４】
2016516263.tif 000006
【００４６】
前記式４から明らかなように、ILEDの数値が大きくなるに連れて、第１金属酸化膜半導体トランジスタＱ１が消費するパワーも大きくなる。
【００４７】
実施例においては、基準電圧Ｖｒｅｆを調整することによって、電圧Ｖａの大きさを調整し、ここからＬＥＤストリップ１３の電流ILEDの大きさを調整する。例えば、基準電圧Ｖｒｅｆを減少させることによって入力電圧Ｖａを減少させ、ここからＬＥＤストリップ１３の電流ILEDを減少させ、次の式５から明らかなように、第１金属酸化膜トランジスタＱ１の消費するパワーPQ1もこれに連れて減少する。
【００４８】
【数５】
2016516263.tif 000007
【００４９】
また、第２抵抗Ｒ２の抵抗値と第３抵抗Ｒ３の抵抗値の比率を変更することによっても入力電圧Ｖａの大きさを調整することができ、ここからＬＥＤストリップ１３の電流の大きさを調整することができる。例えば、第３抵抗Ｒ３の抵抗値を減少させるか、もしくは第２抵抗Ｒ２の抵抗値を増幅させ、第２抵抗Ｒ２の抵抗値と第３抵抗Ｒ３の抵抗値の比率を増大させることによって入力電圧Ｖａを減少させることができ、ここからＬＥＤストリップ１３の電流を減少させることができ、次の式６から明らかなように、第１金属酸化膜トランジスタＱ１の消費するパワーPQ1もこれに連れて減少する。
【００５０】
【数６】
2016516263.tif 000008
【００５１】
当然のことながら、ＬＥＤストリップ１３全体の明るさを変えないという前提の下において、ＬＥＤストリップ１３のＬＥＤの個数を増加させることによって電流ILEDを減少させてもよい。
【００５２】
図２に、実施例によるＬＥＤバックライト光源を具えた液晶表示装置を開示する。図面に開示するように、液晶表示装置１は、液晶表示パネル１１１とＬＥＤバックライト光源とを含んでなる。液晶表示パネル１１１とＬＥＤバックライトモジュールとは対応して設け、ＬＥＤバックライト光源によって液晶表示パネル１１１に光線を提供し、液晶表示パネル１１１によって画像を表示する。
【００５３】
図３に、実施例によるＬＥＤバックライト光源の駆動方法を開示する。図面に開示するように実施例によるＬＥＤバックライト光源の駆動方法は、次のステップを含んでなる。即ち、Ｓ１のステップで直流電圧入力端から直流電圧を入力し、Ｓ２のステップで増幅回路によって直流電圧入力端から入力した電圧を増幅し、かつ増幅した直流電圧を出力する。
【００５４】
次いで、Ｓ３のステップでＬＥＤストリップによって増幅回路から増幅した直流電圧を受け、Ｓ４のステップで定電流駆動回路によって第１抵抗の両端の電圧を調整してＬＥＤストリップの電流を制御する。
【００５５】
以上をまとめると、この発明による液晶表示装置のＬＥＤバックライト光源及びその駆動方法は、ＬＥＤを駆動して発光させた場合、第１金属酸化膜半導体アトランジスタの消費するパワーが減少し、定電流駆動回路の消費するパワーが減少し、ここから温度が下がり、ＬＥＤバックライト光源全体の駆動回路の変換効率が高まり、かつ定電流駆動回路を構成する部材の熱による毀損が容易に発生しなくなる。
【００５６】
以上は、この発明の好ましい実施の形態であって、この発明の実施の範囲を限定するものではない。よって、この発明の精神の下においてなされ、この発明に対して均等の効果を有する変更、修正などは、いずれもこの発明の特許請求の範囲に属するものとする。
【符号の説明】
【００５７】
１１    直流電圧入力端
１１１    液晶表示パネル
１２    象風回路
１３    ＬＥＤストリップ
１４    定電流駆動回路
Ｃ    コンデンサ
Ｄ    整流ダイオード
Ｌ    インダクタ
Ｑ１    第１金属酸化膜トランジスタ
Ｑ２    第２金属酸化膜トランジスタ
Ｒ１    第１抵抗
Ｒ２    第２抵抗
Ｒ３    第３抵抗
Ｕ１    オペアンプ 
【図１】
2016516263.tif 000009
【図２】
2016516263.tif 000010
【図３】
2016516263.tif 000011
【国際調査報告】
2016516263.tif 000012
2016516263.tif 000013
2016516263.tif 000014
2016516263.tif 000015